(57)【要約】 【課題】  複数の片流れ屋根をうまく組み合わせることで、住宅全体をまとまりのある外観にして意匠性の向上を図る。【解決手段】  第１の片流れ屋根(３)と第２の片流れ屋根(４)の互いの棟高さを揃えた状態で、且つ、第１の片流れ屋根(３)の棟中間部に第２の片流れ屋根(４)の棟端部を繋げて、それら棟同士を平面視略Ｔ字状に連続させた状態で、第１の片流れ屋根(３)と第２の片流れ屋根(４)とを接続する。【選択図】  図１
2006104813.tif 000002
【特許請求の範囲】
【請求項１】
第１の片流れ屋根と第２の片流れ屋根の互いの棟高さを揃えた状態で、且つ、前記第１の片流れ屋根の棟中間部に前記第２の片流れ屋根の棟端部を繋げた状態で、前記第１の片流れ屋根と第２の片流れ屋根とを接続したことを特徴とする住宅の屋根構造。
【請求項２】
第１の片流れ屋根と第２の片流れ屋根の互いの棟高さを揃えた状態で、且つ、それら棟同士を平面視略Ｔ字状に連続させた状態で、前記第１の片流れ屋根と第２の片流れ屋根とを接続したことを特徴とする住宅の屋根構造。
【請求項３】
前記第１の片流れ屋根の棟と、その下側に位置する前記第２の片流れ屋根との間の外壁部において、前記第２の片流れ屋根の棟近傍の鋭角部位に下地材を介して板金類等の役物を施工し、その役物に連続させて外壁材を施工した請求項１又は２記載の住宅の屋根構造。
【請求項４】
前記役物は、前記外壁材の端部を覆う被覆部を備えている請求項３記載の住宅の屋根構造。
【請求項５】
前記外壁部の鋭角部位と前記第２の片流れ屋根との間の谷部に跨って、水切り材を設けた請求項３又は４記載の住宅の屋根構造。
【発明の詳細な説明】
【技術分野】
【０００１】
この発明は、片流れ屋根を備えた住宅の屋根構造に関する。
【背景技術】
【０００２】
片流れ屋根は、一方向にだけ勾配のある単純な構造の屋根であって、一般に棟部分が鋭角に尖った状態となっている。このような片流れ屋根を有する住宅としては、例えば特許文献１や特許文献２に開示されているものがある。
【０００３】
【特許文献１】特開２００２−４５９７号公報
【特許文献２】特開２００１−１６４６９０号公報
【発明の開示】
【発明が解決しようとする課題】
【０００４】
従来の片流れ屋根を有する住宅においては、片流れ屋根の尖った棟部分が上方へ突き出た状態となっていることが多く、この棟部分が目立ってしまって、住宅全体としての外観上のまとまりが悪くなり、良好な意匠性を確保し難いといった問題があった。
【０００５】
この発明は、上記の不具合を解消して、複数の片流れ屋根をうまく組み合わせることで、住宅全体をまとまりのある外観にして意匠性の向上を図ることができる住宅の屋根構造の提供を目的とする。
【課題を解決するための手段】
【０００６】
上記の課題を解決するため、この発明の住宅の屋根構造は、第１の片流れ屋根と第２の片流れ屋根の互いの棟高さを揃えた状態で、且つ、前記第１の片流れ屋根の棟中間部に前記第２の片流れ屋根の棟端部を繋げた状態で、前記第１の片流れ屋根と第２の片流れ屋根とを接続したことを特徴とする。
【０００７】
具体的には、第１の片流れ屋根と第２の片流れ屋根の棟同士を平面視略Ｔ字状に連続させている。
【０００８】
そして、前記第１の片流れ屋根の棟と、その下側に位置する前記第２の片流れ屋根との間の外壁部において、前記第２の片流れ屋根の棟近傍の鋭角部位に下地材を介して板金類等の役物を施工し、その役物に連続させて外壁材を施工している。
【０００９】
また、前記役物は、前記外壁材の端部を覆う被覆部を備えている。さらに、外壁部の鋭角部位と前記第２の片流れ屋根との間の谷部に跨って、水切り材を設けている。
【発明の効果】
【００１０】
この発明の屋根構造においては、第１及び第２の片流れ屋根の棟高さを揃えて例えば平面視略Ｔ字状に接続しているので、片流れ屋根を備えているにもかかわらず、その尖った棟部分が上方へ突き出て目立ってしまうといったことがなく、住宅全体をまとまりのある外観にして意匠性の向上を図ることができる。
【００１１】
また、第１の片流れ屋根の棟と第２の片流れ屋根との間の外壁部における鋭角部位に対して、外壁材の代わり板金類等の役物を施工して、その役物に連続させて外壁材を施工しているので、鋭角部位まで及んで外壁材を施工する場合と比べて、壁施工及び防水施工を簡単かつ確実に施すことができ、施工性の向上を図ることができる。
【発明を実施するための最良の形態】
【００１２】
以下、この発明の実施形態を図面に基づいて詳細に説明する。
【００１３】
図１は、この発明の一実施形態に係る住宅を概略的に示している。図において、(１)は主棟、(２)は接続棟を示しており、主棟(１)は第１の片流れ屋根(３)を備え、接続棟(２)は第２の片流れ屋根(４)を備えている。そして、主棟(１)の屋根棟側に接続棟(２)の妻側を合わせるようにして、これら主棟(１)と接続棟(２)とが接続されている。
【００１４】
この接続状態において、第１の片流れ屋根(３)と第２の片流れ屋根(４)の互いの棟(５)(６)の高さを揃えた状態で、且つ、第１の片流れ屋根(３)の棟(５)の中間部に第２の流れ屋根(４)の棟(６)の端部を繋げて、それら棟(５)(６)同士を平面視略Ｔ字状に連続させた状態で、第１の片流れ屋根(３)と第２の片流れ屋根(４)とが接続されている。このように、第１及び第２の片流れ屋根(３)(４)の棟高さを揃えてこれらを接続することで、片流れ屋根(３)(４)のいずれかの尖った棟部分が上方へ突き出て目立ってしまうといったことがなく、住宅全体をまとまりのある外観とすることができる。
【００１５】
なお、図１において、(10)は補助棟であり、第３の片流れ屋根(11)を備えている。この補助棟(10)は、その妻側を主棟(１)の屋根棟側に、その屋根棟側を接続棟(２)の屋根棟側に夫々合わせるようにして、主棟(１)及び接続棟(２)に接続されている。また、この補助棟(10)の第３の片流れ屋根(11)は、第１及び第２の片流れ屋根(３)(４)よりも下方において、第２の片流れ屋根(４)とは反対側に張り出すようにして配置されている。このような補助棟(10)を設けることにより、住宅全体としてのまとまり感をさらに高めることができる。
【００１６】
このような屋根構造を備えた住宅においては、主棟(１)の屋根棟側の桁行方向に沿った外壁部が、接続棟(２)の接続によって分断された状態となっており、特に分断されたうちの一方の外壁部(20)における壁施工が困難となる。
【００１７】
すなわち、この一方の外壁部(20)は、主棟(１)の第１の片流れ屋根(３)の棟(５)と、その下側に位置する接続棟(２)の第２の片流れ屋根(４)との間に位置しており、第２の片流れ屋根(４)の棟(６)近傍に鋭角部位(21)を有している。この外壁部(20)の鋭角部位(21)に対して、これと同形の鋭角部分を有する外壁材を施工すれば意匠上好ましいが、この場合、外壁材の納まりが難しくなり、また防水対策も採り難い。
【００１８】
そこで、図２に示すように、主棟(１)における外壁部(20)の鋭角部位(21)に対して、外壁材の代わりに役物である破風鉄板(30)を施工して、この破風鉄板(30)に対して壁方向に連続させて外壁材(31)を施工することで、外壁材(31)の納まりを良好にするとともに、効果的な防水対策を施すようにしている。
【００１９】
この場合の施工方法を、図３乃至図８に基づいて説明する。まず、図３に示すように、外壁部(20)の鋭角部位(21)に対して、木製の下地材(35)(36)を取り付ける。具体的に、これら下地材(35)(36)は、主棟(１)の第１の片流れ屋根(３)における棟(５)の一部を構成する破風下地材(37)と、接続棟(２)の第２の片流れ屋根(４)における野地板(38)との間に介装される。なお、図において、(40)は母屋、(41)は垂木、(42)は第１の片流れ屋根(３)の野地板、(44)は第１の片流れ屋根(３)の棟下地材、(45)は第２の片流れ屋根(４)の破風下地材、(46)は第２の片流れ屋根(４)の棟下地材である。
【００２０】
続いて、図４に示すように、外壁部(20)の鋭角部位(21)と第２の片流れ屋根(４)の野地板(38)との間の谷部に跨って、捨て水切り材(50)を取り付け、この捨て水切り材(50)の棟側先端部を覆うようして、第１及び第２の片流れ屋根(３)(４)の棟下地材(44)(46)に跨って棟捨て水切り材(51)を被せる。
【００２１】
捨て水切り材(50)の野地板(38)側には、その谷部に沿った端部を略Ｖ字状に折り返してなる水返し片(52)が形成されている。また、捨て水切り材(50)の鋭角部位(21)側には、下地材(35)(36)の後端面に被さる突片(53)が形成されている。なお、この捨て水切り材(50)の後端部に連続して、別の捨て水切り材(54)を谷部に跨って取り付ける。この捨て水切り材(54)の野地板(38)側にも、その谷部に沿った端部を略コ字形に折り返してなる水返し片(55)が形成されている。
【００２２】
そして、図５に示すように、第２の片流れ屋根(４)の野地板(38)上に瓦材(60)(60)…を葺設する。この瓦材(60)(60)…の葺設後に、図６に示すように、外壁部(20)の鋭角部位(21)と第２の片流れ屋根(４)の瓦材(60)(60)…との間の谷部に跨って、のし水切り材(61)を取り付ける。
【００２３】
のし水切り材(61)の瓦材(60)(60)…側には、その谷部に沿った端部を略Ｌ字形に折曲してなる水切り片(62)が形成されている。また、のし水切り材(61)の鋭角部位(21)側には、捨て水切り材(50)の突片(53)に被さる位置決め片(63)が形成されている。なお、のし水切り材(61)の後端部に連続して、別ののし水切り材(64)を谷部に跨って取り付ける。
【００２４】
次に、図７に示すように、外壁部(20)の鋭角部位(21)に対して、のし水切り材(61)及び破風下地板(37)に被さるようにして破風鉄板(30)を取り付ける。この破風鉄板(30)の先端部は、鋭角部位(21)に対応して鋭角状に形成されており、後端下部には、破風鉄板(30)に連続して配置する外壁材(31)の上端部を覆う被覆部としての被覆片(32)が折曲加工されている。さらに、破風鉄板(30)の後端下部には、のし水切り材(61)の位置決め片(63)に被さる位置決め片(33)が形成されている。また、破風鉄板(30)の上部には、第１の片流れ屋根(３)の棟(５)に沿って係合用の突片(71)が設けられている。なお、破風鉄板(30)の後端部に連続して、別の破風鉄板(72)を第１の片流れ屋根(３)の破風下地板(37)に沿って取り付ける。
【００２５】
最後に、図８に示すように、破風鉄板(30)(37)の係合用の突片(71)(71)を利用して、棟水切り材(70)(70)…を第１及び第２の片流れ屋根(３)(４)の棟(５)(６)部分に取り付ける。また、破風鉄板(30)に連続するように外壁材(31)を外壁部(20)に取り付ける。この外壁材(31)の取付状態において、外壁材(31)の上端部が破風鉄板(30)の被覆片(32)の裏側に差し込まれて、また外壁材(31)の側端部と位置決め片(33)との間にはシーリング材(80)が充填されて、外壁材(31)を見栄え良く納めている。
【００２６】
このように、外壁部(20)の鋭角部位(21)に対して、下地材(35)(36)(37)を介して板金類である破風鉄板(30)を取り付けることで、鋭角部位(21)まで及んで外壁材を施工する場合と比べて、設計の自由度を高めて、壁施工を簡単に済ますことができ、また捨て水切り材(50)(54)及びのし水切り材(61)(64)を用いた防水対策も簡単に施すことができる。
【００２７】
なお、この発明は、上記実施形態に限定されるものではなく、この発明の範囲内で上記実施形態に多くの修正及び変更を加え得ることは勿論である。
【図面の簡単な説明】
【００２８】
【図１】この発明の一実施形態に係る住宅の概略斜視図である。
【図２】第１の片流れ屋根と第２の片流れ屋根の接続部付近の縦断面図である。
【図３】同じくその鋭角部位への下地材の取付け状態を示す斜視図である。
【図４】同じくその捨て水切り材の取付け状態を示す斜視図である。
【図５】同じくその瓦材の取付け状態を示す斜視図である。
【図６】同じくそののし水切り材の取付け状態を示す斜視図である。
【図７】同じくその破風鉄板の取付け状態を示す斜視図である。
【図８】同じくその外壁材の取付け状態を示す斜視図である。
【符号の説明】
【００２９】
(３)  第１の片流れ屋根
(４)  第２の片流れ屋根
(５)  第１の片流れ屋根の棟
(６)  第２の片流れ屋根の棟
(20)  外壁部
(21)  鋭角部位
(35)(36)(37)  下地材
(30)  役物(破風鉄板)
(31)  外壁材
(32)  被覆部
(50)(61)  水切り材
【図１】
2006104813.tif 000003
【図２】
2006104813.tif 000004
【図３】
2006104813.tif 000005
【図４】
2006104813.tif 000006
【図５】
2006104813.tif 000007
【図６】
2006104813.tif 000008
【図７】
2006104813.tif 000009
【図８】
2006104813.tif 000010